(57)【要約】【課題】蓄積時間制御に用いられ可視光領域に感応する第１のモニタ部の出力と赤外光に感応する第２のモニタの出力とに基づき輝度情報を求めることにより、赤外領域の光の有無による輝度情報の変動を減少する。【解決手段】補正部１５は、赤外領域の光に感応する電荷蓄積型の第２のモニタ用光電変換素子１２ｂの出力に基づき可視光領域に感応する第１のモニタ用光電変換素子１２ａの出力から輝度情報に関係しない赤外光に応じた出力を取り除いた出力を出力し、この出力が所定電圧ｒｅｆ２を超えると比較回路１６の出力が反転する。測光回路１７は第２のモニタ用光電変換素子１２ｂと第１のモニタ用光電変換素子１２ａとが蓄積を開始してから比較回路１６の出力が反転するまでの時間を輝度情報として出力する。【選択図】　　　図１
2004132836.tif 000002
【特許請求の範囲】
【請求項１】
１対の光学系により物体の映像がそれぞれ結像される１対の受光領域を有する１対の電荷蓄積型光電変換部と、
上記光学系を介して上記映像が結像されるように上記１対の電荷蓄積型光電変換部の一方に近接配置され、かつ可視光領域に感応する第１のモニタ用光電変換部と、
上記光学系を介して上記映像が結像されるように上記１対の電荷蓄積型光電変換部の他方に近接配置され、かつ赤外領域に感応する第２のモニタ用光電変換部と、
上記第１のモニタ用光電変換部の出力に基づいて上記電荷蓄積型光電変換部の蓄積時間を制御する蓄積時間制御部と、
上記電荷蓄積型光電変換部の上記１対の受光領域の出力に基づき上記１対の映像の相互間の位相差を検出する位相差検出部と、
上記第１のモニタ用光電変換部の出力と上記第２のモニタ用光電変換部の出力に基づき輝度情報を求める輝度情報検出部と
を含むことを特徴とする測光機能付き位相差検出装置。
【請求項２】
請求項１において、上記輝度情報検出部は、上記第２のモニタ用光電変換部の出力に基づき上記第１のモニタ用光電変換部の出力から赤外光に応じた出力を取り除くことを特徴とする測光機能付き位相差検出装置。
【請求項３】
１対の光学系により物体の映像がそれぞれ結像される１対の受光領域を有する１対の電荷蓄積型光電変換部と、
上記光学系を介して上記映像が結像されるように上記１対の電荷蓄積型光電変換部の一方に近接配置され、かつ可視光領域に感応する第１のモニタ用光電変換部と、
上記光学系を介して上記映像が結像されるように上記１対の電荷蓄積型光電変換部の他方に近接配置され、かつ赤外領域に感応する第２のモニタ用光電変換部と、
上記第１のモニタ用光電変換部の出力に基づいて上記電荷蓄積型光電変換部の蓄積時間を制御する蓄積時間制御部と、
上記電荷蓄積型光電変換部の上記１対の受光領域の出力に基づき測距演算を行う測距演算部と、
上記第１のモニタ用光電変換部の出力と上記第２のモニタ用光電変換部の出力に基づき輝度情報を求める輝度情報検出部と
を含むことを特徴とする測光機能付き測距装置。
【請求項４】
請求項３において、上記輝度情報検出部は、上記第２のモニタ用光電変換部の出力に基づき上記第１のモニタ用光電変換部の出力から赤外光に応じた出力を取り除くことを特徴とする測光機能付き測距装置。
【請求項５】
対物レンズと、
上記対物レンズを通過した物体の像が結像される結像部と、
１対の光学系により物体の映像がそれぞれ結像される１対の受光領域を有する１対の電荷蓄積型光電変換部と、
上記光学系を介して上記映像が結像されるように上記１対の電荷蓄積型光電変換部の一方に近接配置され、かつ可視光領域に感応する第１のモニタ用光電変換部と、
上記光学系を介して上記映像が結像されるように上記１対の電荷蓄積型光電変換部の他方に近接配置され、かつ赤外領域に感応する第２のモニタ用光電変換部と、
上記第１のモニタ用光電変換部の出力に基づいて上記電荷蓄積型光電変換部の蓄積時間を制御する蓄積時間制御部と、
上記電荷蓄積型光電変換部群の上記１対の受光領域の出力に基づき上記対物レンズと上記結像部との間の合焦動作を行う合焦制御部と、
上記第１のモニタ用光電変換部の出力と上記第２のモニタ用光電変換部の出力に基づき輝度情報を求める輝度情報検出部と
を含むことを特徴とする測光機能付き撮像装置。
【請求項６】
請求項５において、上記輝度情報検出部は、上記第２のモニタ用光電変換部の出力に基づき上記第１のモニタ用光電変換部の出力から赤外光に応じた出力を取り除くことを特徴とする測光機能付き撮像装置。
【請求項７】
請求項５または６において、上記輝度情報検出部が求めた上記輝度情報に基づき上記結像部の露光量を制御する露光量制御部をさらに含むことを特徴とする測光機能付き撮像装置。
【発明の詳細な説明】
【０００１】
【発明の技術分野】
本発明は、測光機能付き位相差検出装置、測光装置付き測距装置および測光機能付き撮像装置に関する。
【０００２】
【従来の技術】
従来、自動焦点カメラ等において、いわゆるパッシブ方式で被写体にピントを合わせる際、非ＴＴＬカメラの場合は撮影レンズを通過していない被写体像を用いて被写体距離を検出し、その検出した被写体距離に応じて撮影レンズの位置を制御しており、ＴＴＬカメラの場合は撮影レンズを通過して得られた被写体像を用いて合焦状態からのずれ量を検出し、その検出したずれ量に応じて撮影レンズの位置を制御している。以下、図２（ａ）を参照して上述した動作原理を説明する。
【０００３】
同図において、１対のレンズ１０１ａと１０１ｂは所定の基線長ｂだけ離して配設してあり、１対のレンズ１０１ａと１０１ｂから焦点距離ｆだけ離して配設された１対の光センサアレイ１０３ａと１０３ｂに互いに異なる光路ＡとＢを介して対象１０２の映像をそれぞれ結像させる。対象１０２は１対のレンズ１０１ａ、１０１ｂから正面方向に距離Ｌだけ離れた位置に存在するものとする。
【０００４】
対象１０２が無限遠の位置に存在するとき一対の光センサアレイ１０３ａと１０３ｂに結像される映像の中心は光センサアレイ１０３ａ、１０３ｂ上のレンズ１０１ａ、１０１ｂの光軸に対応する基準位置（１０３ａ１、１０３ｂ１）に結像されるが、対象１０２が無限遠位置よりも近づくと、これら基準位置（１０３ａ１、１０３ｂ１）からαだけずれた位置に結像される。三角測距の原理から対象１０２までの距離ＬはＬ＝ｂｆ／αとなる。ここで、基線長ｂと焦点距離ｆは定数なので、ずれ量αを検出すれば距離Ｌを測定できる。これが非ＴＴＬカメラに用いられているパッシブ測距（いわゆる外光三角測距）の原理である。なお、非ＴＴＬカメラでは測距装置の出力値として距離Ｌを用いる代わりにずれ量αをそのまま使う場合もある。
【０００５】
ＴＴＬカメラの場合は、撮像レンズ（図示せず。）を通過した光を１対のレンズ１０１ａ、１０１ｂに与えて上記と同様に左右の映像対間のずれ量αを検出する。なお、この場合は合焦状態にあるときの映像の中心を各光センサアレイ１０３ａ、１０３ｂ上の基準位置とする。よって、ずれ量αの正負が前ピント状態か後ピント状態かを示し、その絶対値が合焦からのずれの程度を示す。なお、本願では、これらのずれ量αを位相差と称する。
【０００６】
これらはいずれも光学系により対象の映像を１対の光センサアレイ上に結像させ、１対の光センサアレイが出力する１対の映像信号の相対的な位置ずれ、すなわち位相差を１対の映像信号からそれぞれ抽出した部分映像データ群（図２（ｂ）参照）について相関演算を行うことにより検出している。なお、このような位相差検出は自動焦点カメラに限るものではなく、種々の測距装置や焦点検出装置等に用いることが可能である。
【０００７】
このような位相差検出型の測距装置や合焦検出装置等に用いられる光センサアレイとしてはフォトダイオード等の電荷蓄積型光電変換素子列が用いられており、この電荷蓄積型光電変換素子列の電荷蓄積時間をモニタ用光電変換素子の出力に基づき制御し、かつその蓄積時間すなわちモニタ用光電変換素子の出力に基づき輝度情報を検出するものが特許文献１（特公平８−１４６７４号公報）に記載されている。
【０００８】
【特許文献１】
特公平８−１４６７４号公報
【０００９】
【発明が解決しようとする課題】
しかしながら、特許文献１に記載の技術は、モニタ用光電変換素子としてのフォトダイオードに赤外光対策を施していないので、周囲の輝度が同じでも赤外光の有無により輝度情報が変動してしまうという問題が生じてしまう。この問題は、周囲の輝度が同じでも輝度情報に関係のない赤外光の有無によりフォトダイオードを用いたモニタ用光電変換素子の出力が変動してしまうことに起因する。ただし、上述した位相差検出は、電荷蓄積型の光電変換素子列の１対の受光領域内の出力差（相関度）に基づき求めているので、赤外領域の光の有無による出力差は相殺され問題とならない。つまり、特許文献１に記載の技術の場合、モニタ用光電変換素子の出力を蓄積時間制御用に用いる場合は問題とならないが、モニタ用光電変換素子の出力を輝度情報として用いる場合に問題となってしまう。
【００１０】
この赤外光の有無により輝度情報が変動してしまう問題を解決するために、例えば、モニタ用光電変換素子と電荷蓄積型の光電変換素子列の両方に赤外線カットフィルタを積層することも考えられる。しかし、この場合、厚みが増してしまう等の問題が生じてしまうとともに、電荷蓄積型の光電変換素子列の出力が落ちてしまうので、蓄積時間が長くなってしまうという問題が生じてしまう。
【００１１】
本発明の目的は、蓄積時間の長時間化を防止可能で、かつ赤外領域の光線の有無による輝度情報の変動を防止することである。
【００１２】
【課題を解決するための手段】
第１の発明は、１対の光学系により物体の映像がそれぞれ結像される１対の受光領域を有する１対の電荷蓄積型光電変換部と、上記光学系を介して上記映像が結像されるように上記１対の電荷蓄積型光電変換部の一方に近接配置され、かつ可視光領域に感応する第１のモニタ用光電変換部と、上記光学系を介して上記映像が結像されるように上記１対の電荷蓄積型光電変換部の他方に近接配置され、かつ赤外領域に感応する第２のモニタ用光電変換部と、上記第１のモニタ用光電変換部の出力に基づいて上記電荷蓄積型光電変換部の蓄積時間を制御する蓄積時間制御部と、上記電荷蓄積型光電変換部の上記１対の受光領域の出力に基づき上記１対の映像の相互間の位相差を検出する位相差検出部と、上記第１のモニタ用光電変換部の出力と上記第２のモニタ用光電変換部の出力に基づき輝度情報を求める輝度情報検出部とを含む測光機能付き位相差検出装置である。このような構成によれば、蓄積時間制御に用いられ可視光領域に感応する第１のモニタ用光電変換部の出力と赤外領域に感応する第２のモニタ用光電変換部の出力とに基づき輝度情報を求めるので、輝度情報に関係しない赤外領域の光線の影響による輝度情報のばらつきを少なくできる。また、蓄積時間制御用のモニタ用光電変換部の出力に基づき輝度情報を得る装置において、モニタ用光電変換部と位相差検出用電荷蓄積型光電変換部の両方に赤外線カットフィルタを積層して輝度情報に関係しない赤外光の影響による輝度情報のばらつきを少なくする場合には、両光電変換部の出力が落ちてしまうので、蓄積時間が長くなってしまうという問題が生じるが、第１の発明は、蓄積時間制御に用いられ可視光領域に感応する第１のモニタ用光電変換部の出力と赤外領域に感応する第２のモニタ用光電変換部の出力とに基づき輝度情報を求めるので、第１のモニタ用光電変換部と位相差検出用電荷蓄積型光電変換部の両方への赤外線カットフィルタの積層を不要にでき、蓄積時間の長時間化を防止可能となる。また、第１と第２のモニタ用光電変換部と電荷蓄積型光電変換部が近接配置されているので、蓄積時間制御の精度や輝度情報検出精度が向上する。
【００１３】
第２の発明は、第１の発明において、上記輝度情報検出部は、上記第２のモニタ用光電変換部の出力に基づき上記第１のモニタ用光電変換部の出力から赤外光に応じた出力を取り除く構成としてある。このような構成によれば、蓄積時間の長時間化を防止しつつ、輝度情報に関係しない赤外光の影響による輝度情報のばらつきを少なくできる。
【００１４】
第３の発明は、１対の光学系により物体の映像がそれぞれ結像される１対の受光領域を有する１対の電荷蓄積型光電変換部と、上記光学系を介して上記映像が結像されるように上記１対の電荷蓄積型光電変換部の一方に近接配置され、かつ可視光領域に感応する第１のモニタ用光電変換部と、上記光学系を介して上記映像が結像されるように上記１対の電荷蓄積型光電変換部の他方に近接配置され、かつ赤外領域に感応する第２のモニタ用光電変換部と、上記第１のモニタ用光電変換部の出力に基づいて上記電荷蓄積型光電変換部の蓄積時間を制御する蓄積時間制御部と、上記電荷蓄積型光電変換部の上記１対の受光領域の出力に基づき測距演算を行う測距演算部と、上記第１のモニタ用光電変換部の出力と上記第２のモニタ用光電変換部の出力に基づき輝度情報を求める輝度情報検出部とを含む測光機能付き測距装置である。このような構成によれば、蓄積時間制御に用いられ可視光領域に感応する第１のモニタ用光電変換部の出力と赤外領域に感応する第２のモニタ用光電変換部の出力とに基づき輝度情報を求めるので、輝度情報に関係しない赤外領域の光の影響による輝度情報のばらつきを少なくできる。また、蓄積時間制御用のモニタ用光電変換部の出力に基づき輝度情報を得る装置において、モニタ用光電変換部と測距用電荷蓄積型光電変換部の両方に赤外線カットフィルタを積層して輝度情報に関係しない赤外光の影響による輝度情報のばらつきを少なくする場合には、両光電変換部の出力が落ちてしまうので、蓄積時間が長くなってしまうという問題が生じるが、第３の発明は、蓄積時間制御に用いられ可視光領域に感応する第１のモニタ用光電変換部の出力と赤外領域に感応する第２のモニタ用光電変換部の出力とに基づき輝度情報を求めるので、第１のモニタ用光電変換部と測距用電荷蓄積型光電変換部の両方への赤外線カットフィルタの積層を不要にでき、蓄積時間の長時間化を防止可能となる。また、第１と第２のモニタ用光電変換部と電荷蓄積型光電変換部が近接配置されているので、蓄積時間制御の精度や輝度情報検出精度が向上する。
【００１５】
第４の発明は、第３の発明において、上記輝度情報検出部は、上記第２のモニタ用光電変換部の出力に基づき上記第１のモニタ用光電変換部の出力から赤外光に応じた出力を取り除く構成としてある。このような構成によれば、蓄積時間の長時間化を防止しつつ、輝度情報に関係しない赤外光の影響による輝度情報のばらつきを少なくできる。
【００１６】
第５の発明は、対物レンズと、上記対物レンズを通過した物体の像が結像される結像部と、１対の光学系により物体の映像がそれぞれ結像される１対の受光領域を有する１対の電荷蓄積型光電変換部と、上記光学系を介して上記映像が結像されるように上記１対の電荷蓄積型光電変換部の一方に近接配置され、かつ可視光領域に感応する第１のモニタ用光電変換部と、上記光学系を介して上記映像が結像されるように上記１対の電荷蓄積型光電変換部の他方に近接配置され、かつ赤外領域に感応する第２のモニタ用光電変換部と、上記第１のモニタ用光電変換部の出力に基づいて上記電荷蓄積型光電変換部の蓄積時間を制御する蓄積時間制御部と、上記電荷蓄積型光電変換部群の上記１対の受光領域の出力に基づき上記対物レンズと上記結像部との間の合焦動作を行う合焦制御部と、上記第１のモニタ用光電変換部の出力と上記第２のモニタ用光電変換部の出力に基づき輝度情報を求める輝度情報検出部とを含む撮像装置である。このような構成によれば、蓄積時間制御に用いられ可視光領域に感応する第１のモニタ用光電変換部の出力と赤外領域に感応する第２のモニタ用光電変換部の出力とに基づき輝度情報を求めるので、輝度情報に関係しない赤外領域の光線の影響による輝度情報のばらつきを少なくできる。また、蓄積時間制御用のモニタ用光電変換素子の出力に基づき輝度情報を得る装置において、モニタ用光電変換素子と合焦制御用電荷蓄積型光電変換部の両方に赤外線カットフィルタを積層して輝度情報に関係しない赤外光の影響による輝度情報のばらつきを少なくする場合には、両光電変換素子列の出力が落ちてしまうので、蓄積時間が長くなってしまうという問題が生じるが、第５の発明は、蓄積時間制御に用いられ可視光領域に感応する第１のモニタ用光電変換部の出力と赤外領域に感応する第２のモニタ用光電変換部の出力とに基づき輝度情報を求めるので、第１のモニタ用光電変換部と合焦制御用電荷蓄積型光電変換部の両方への赤外線カットフィルタの積層を不要にでき、蓄積時間の長時間化を防止可能となる。また、第１と第２のモニタ用光電変換部と電荷蓄積型光電変換部が近接配置されているので、蓄積時間制御の精度や輝度情報検出精度が向上する。
【００１７】
第６の発明は、第５の発明において、上記輝度情報検出部は、上記第２のモニタ用光電変換部の出力に基づき上記第１のモニタ用光電変換部の出力から赤外光に応じた出力を取り除く構成としている。このような構成によれば、蓄積時間の長時間化を防止しつつ、輝度情報に関係しない赤外光の影響による輝度情報のばらつきを少なくできる。
【００１８】
第７の発明は、第５または第６の発明において、上記輝度情報検出部が求めた上記輝度情報に基づき上記結像部の露光量を制御する露光量制御部をさらに含む構成としている。このような構成によれば、第１のモニタ用光電変換部の出力を蓄積時間制御と露光量制御に兼用できる。
【００１９】
【発明の実施の形態】
以下、本発明の実施の形態を図面に示す一実施例に参照して説明する。図１において、電荷蓄積型光電変換部群としての１対のＣＣＤイメージラインセンサ３ａ、３ｂ上へは、図２に示したような１対の光学系としてのレンズ（図示せず）により上述したように物体（図示せず。）の映像がそれぞれ結像される。ＣＣＤイメージラインセンサ３ａは、受光素子群３ａ１、移送ゲート３ａ２、ＣＣＤシフトレジスタ３ａ３を備え、受光素子群３ａ１で発生した電荷は移送ゲート３ａ２によりＣＣＤシフトレジスタ３ａ３に送られる。ＣＣＤイメージラインセンサ３ｂは、受光素子群３ｂ１、移送ゲート３ｂ２、ＣＣＤシフトレジスタ３ｂ３を備え、受光素子群３ｂ１で発生した電荷は移送ゲート３ｂ２によりＣＣＤシフトレジスタ３ｂ３に送られる。
【００２０】
受光素子群３ａ１、３ｂ１はそれぞれ画素となるフォトダイオード（可視光領域や赤外領域の光を受光した際に電荷を発生する光電変換素子）を１６２個ずつライン状に配置してあり、各１６２個の画素群が１対の受光領域となり、それらの各画素は当該画素上に結像された物体２の映像の光量に対応する電気信号（電荷）を出力する。なお、１対の受光素子群３ａ１、３ｂ１の画素の個数は適宜変更可能である。
【００２１】
出力部４は１対のＣＣＤイメージラインセンサ３ａ、３ｂの出力をＣＰＵ５に出力する。
【００２２】
位相差検出部、測距演算部としてのＣＰＵ５は、メモリ部６に記憶してある種々の動作プログラムや各種のデータに基づき、入力する１対のＣＣＤイメージラインセンサ３ａ、３ｂの出力を後述するように処理する。
【００２３】
合焦制御部７はＣＰＵ５により制御され、対物レンズ８を両矢印Ｘ方向に動作可能で、対物レンズ８と結像部９との間の合焦動作を行う。なお、結像部９は銀塩フィルムでもよいし、いわゆるＣＣＤエリアセンサやＣＭＯＳエリアセンサ等のような固体撮像素子でもよい。
【００２４】
露光量制御部１０はＣＰＵ５により制御され、後述する測光回路１７が出力する輝度情報に基づきシャッタ１１を制御して結像部９の露光量を制御する。
【００２５】
第１のモニタ用光電変換部としてのモニタ用光電変換素子１２ａは、電荷蓄積型のものであり、１対の受光素子群３ａ１、３ｂ１と同様に可視光領域や赤外領域の光線を受光した際に電荷を発生するフォトダイオードであり、不図示のレンズを通った光を受ける位置（本例では、受光素子群３ａ１の近傍）に配置され、１対の受光素子群３ａ１、３ｂ１の電荷蓄積時間を制御するための測光用素子である。このように、モニタ用光電変換素子１２ａは、受光素子群３ａ１の近傍に配置してあるので、受光素子群３ａ１が受光する光と同様な光を受光可能となり、蓄積時間のモニタ精度向上に寄与する。
【００２６】
蓄積時間制御部１３は、比較回路１３ａと蓄積制御部１３ｂを備える。比較回路１３ａはモニタ用光電変換素子１２ａの出力が所定電圧ｒｅｆ１を超えた場合に出力が反転する。蓄積制御部１３ｂはＣＰＵ５および比較回路１３ａの出力等により制御され、１対のＣＣＤイメージラインセンサ３ａ、３ｂ、モニタ用光電変換素子１２ａおよび赤外モニタ用光電変換素子１２ｂの動作を制御する。
【００２７】
第２のモニタ用光電変換部としての赤外モニタ用光電変換素子（赤外線センサ）１２ｂは、赤外領域の光を感度中心とした電荷蓄積型のものであり、例えば可視光カットフィルタが受光部前面に設けられたフォトダイオードが適用され、不図示のレンズを通った光を受ける位置（本例では、受光素子群３ｂ１の近傍）に配置される。このように、赤外モニタ用光電変換素子１２ｂは、受光素子群３ｂ１の近傍に配置してあるので、受光素子群３ａ１の近傍に配置してあるモニタ用光電変換素子１２ａと同様の光を受光可能となり、後述する輝度情報検出精度向上に寄与する。なお、赤外モニタ用光電変換素子１２ｂは、赤外光を使って物体までの距離を測定するアクティブ型測距装置で用いられる受光素子とその出力を積分するコンデンサを備えた受光素子としても良い。
【００２８】
輝度情報検出部１４は、補正部１５、比較回路１６および測光回路１７を備える。補正部１５は、赤外モニタ用光電変換素子１２ｂの出力に基づきモニタ用光電変換素子１２ａの出力から輝度情報に関係しない赤外領域の光に応じた出力を取り除く。なお、補正部１５は、モニタ用光電変換素子１２ａの出力から全ての赤外領域の光に応じた出力を取り除いても良いが、少しでも赤外領域の光に応じた出力を取り除ければよい。比較回路１６は補正部１５の出力が所定電圧ｒｅｆ２を超えた場合に出力が反転する。測光回路１７はモニタ用光電変換素子１２ａおよび赤外モニタ用光電変換素子１２ｂの蓄積動作開始時点から比較回路１６の出力が反転する時点までの時間の長さに基づき輝度情報を検出する。このように、モニタ用光電変換素子１２ａの出力から赤外領域の光に応じた出力を取り除いた出力に基づき輝度情報を検出するので、蓄積時間制御用モニタ光電変換素子の出力に基づいて検出する輝度情報の精度が向上する。合焦制御部、露光量制御部としての制御部１８は、ＣＰＵ５、合焦制御部７、露光量制御部１０を備える。
【００２９】
次に、動作を説明する。
【００３０】
不図示のレリーズスイッチが操作されると、ＣＰＵ５は蓄積制御部１３に動作開始信号を出力する。動作開始信号を受けた蓄積制御部１３は、蓄積指令信号Ｓａとモニタ蓄積指令信号Ｓｘを出力する。
【００３１】
受光素子群３ａ１、３ａ２は蓄積指令信号Ｓａを受けることにより、レンズ１ａ、１ｂを通して受光する映像に応じた電荷の蓄積を開始し、モニタ用光電変換素子１２ａと赤外モニタ用光電変換素子１２ｂは、モニタ蓄積指令信号Ｓｘを受けることにより電荷の蓄積を開始する。また、測光回路１７はモニタ蓄積指令信号Ｓｘを受けることにより内部のタイマを動作させる。
【００３２】
補正部１５は、赤外モニタ用光電変換素子１２ｂの出力に基づきモニタ用光電変換素子１２ａの出力から輝度情報に関係しない赤外領域の光に応じた出力を取り除いた出力を比較回路１６に出力する。
【００３３】
蓄積開始によりモニタ用光電変換素子１２ａの出力が所定電圧ｒｅｆ１を越えて比較回路１３ａの出力が反転すると、蓄積制御部１３ｂは移送信号Ｓｂを出力して移送ゲート３ａ２、３ｂ２を開き、受光素子群３ａ１、３ａ２に蓄積された電荷をそれぞれＣＣＤシフトレジスタ３ａ３、３ｂ３に送り、蓄積指令信号Ｓａおよび移送信号Ｓｂの出力を停止する。
【００３４】
続いて、蓄積制御部１３ｂは読出信号Ｓｃ、Ｓｄを順番に出力してＣＣＤシフトレジスタ３ａ３、３ｂ３を順番に動作させて受光素子群３ａ１、３ａ２に蓄積された電荷を出力部４に出力させる。出力部４は入力する電荷をＣＰＵ５に出力し、ＣＰＵ５はこの出力部４からの出力を１対の映像信号列として内部のメモリに記憶する。
【００３５】
ＣＰＵ５はこの１対の映像信号列について上述したような公知の相関演算を行うことにより、１対の像の相互間の位相差を検出する。なお、受光素子群３ａ１、３ａ２に結像される像が対物レンズ８を通っていない場合（非ＴＴＬ）、この位相差が測距対象までの距離に応じた値となる。また、受光素子群３ａ１、３ａ２に結像される像が対物レンズ８を通ったものである場合（ＴＴＬ）、この位相差が合焦位置からのずれ量となる。
【００３６】
合焦制御部７は、ＣＰＵ５が算出した位相差に基づき対物レンズ８を動かして対物レンズ８と結像部１０との間の合焦動作を行う。
【００３７】
他方、補正部１５の出力が所定電圧ｒｅｆ２を越えて比較回路１６の出力が反転すると、測光回路１７はそのときの内部のタイマの値を輝度情報としてＣＰＵ５に出力する。よって、このタイマ値が小さいほど高輝度となり、このタイマ値が大きいほど低輝度となる。すなわち、この輝度検出は、輝度が低い場合は補正部の出力が所定電圧ｒｅｆ２を越えるまで時間がかかるのに対して、輝度が高い場合は補正部の出力が所定電圧ｒｅｆ２を越えるまでの時間が短くなる特性を利用した検出手法である。また、比較回路１６の反転出力は蓄積制御部１３ｂに入力し、蓄積制御部１３ｂはこの入力によりモニタ蓄積指令信号Ｓｘの出力を停止する。
【００３８】
ＣＰＵ５は、測光回路１７からの入力（輝度情報）を露光量制御部１０に送り、露光量制御部１０は入力する輝度情報に基づきシャッタ１１を制御して結像部９の露光量を制御する。
【００３９】
このように、モニタ用光電変換素子１２ａの出力から赤外光に応じた出力を取り除いた出力に基づいて検出した輝度情報を用いて露光量を制御するので、蓄積時間が長時間化することなく蓄積時間制御用モニタ光電変換素子の出力に基づいた露光量制御の精度が向上する。
【００４０】
なお、上記ではモニタ用光電変換素子１２ａの出力から赤外領域の光に応じた出力を取り除いた出力に基づいて検出した輝度情報を用いて露光量を制御するようにしたが、当該輝度情報を用いてストロボのオンオフを制御するようにしてもよい。この場合も、蓄積時間が長時間化することなく蓄積時間制御用モニタ光電変換素子の出力に基づいたストロボのオンオフ制御の精度が向上する。
【００４１】
また、本発明は上記実施例にのみ限定されず、要旨を変更しない範囲で適宜変更して実施できる。
【００４２】
【発明の効果】
本発明によれば、蓄積時間制御に用いられ可視光領域に感応する第１のモニタ用光電変換部の出力と赤外領域に感応する第２のモニタ用光電変換部の出力とに基づき輝度情報を求めるので、輝度情報に関係しない赤外光の影響による輝度情報のばらつきを少なくできる。
【００４３】
また、蓄積時間制御用のモニタ用光電変換部の出力に基づき輝度情報を得る装置において、モニタ用光電変換素子と位相差検出用電荷蓄積型光電変換部の両方に赤外線カットフィルタを積層して輝度情報に関係しない赤外光の影響による輝度情報のばらつきを少なくする場合には、両光電変換部の出力が落ちてしまうので、蓄積時間が長くなってしまうという問題が生じるが、本発明によれば、蓄積時間制御に用いられ可視光領域に感応する第１のモニタ用光電変換部の出力と赤外領域に感応する第２のモニタ用光電変換部の出力とに基づき輝度情報を求めるので、蓄積時間制御に用いられる第１のモニタ用光電変換部と位相差検出用電荷蓄積型光電変換部の両方への赤外線カットフィルタの積層を不要にできるので、蓄積時間の長時間化を防止可能となる。
【図面の簡単な説明】
【図１】本発明の一実施例を示すブロック図。
【図２】測距装置の測距原理を示す説明図。
【符号の説明】
３ａ、３ｂ　　　電荷蓄積型光電変換部
５　　　　　　　位相差検出部、測距演算部
８　　　　　　　対物レンズ
９　　　　　　　結像部
１２ａ　　　　　　第１のモニタ用光電変換部
１２ｂ　　　　　　第２のモニタ用光電変換部
１３　　　　　　　蓄積時間制御部
１４　　　　　　　輝度情報検出部
１８　　　　　　　合焦制御部、露光量制御部
【図１】
2004132836.tif 000003
【図２】
2004132836.tif 000004